(57)【要約】      （修正有）【課題】粗大な被破砕物でも破砕機内で詰まりを生じることなく能率よく破砕することができる竪型破砕機を提供する。【解決手段】上部に投入口５を、下部に排出口６を有する破砕容器２内に、竪方向の主軸７を回転可能に設け、この主軸７に固定した複数のディスクに周方向に間隔をあけて設けた複数本のハンマピンに、ハンマ群１４〜１６を設けた破砕機において、ハンマ群１４〜１６にうち、少なくとも破砕容器２の上部にある上部ハンマ群１４を、該破砕容器２に上下方向に千鳥状に配列した。【選択図】図１
2006247519.tif 000002
【特許請求の範囲】
【請求項１】
上部に投入口（５）を有し、下部に排出口（６）を有する破砕容器（２）内に、原動機（１０）により回転駆動される主軸（７）を略鉛直方向に支承し、この主軸（７）に複数のディスク（２０，３０，４０）を軸方向に間隔をあけて固定し、それらのディスク（２０，３０，４０）の周方向に間隔をあけて設けられる複数本のハンマピン（２２，３２，４２）に、それぞれハンマ群を回動自在に設け、前記主軸（７）の回転により、放射方向に張り出して回転するハンマ群により、破砕容器（２）内に投入された被破砕物を破砕するようにした、竪型破砕機において、
前記ハンマ群にうち、少なくとも前記破砕容器（２）の上部に存する上部ハンマ群は、該破砕容器（２）に上下方向に千鳥状に配列されることを特徴とする、竪型破砕機。
【請求項２】
上部に投入口（５）を有し、下部に排出口（６）を有する破砕容器（２）内に、原動機（１０）により回転駆動される主軸（７）を略鉛直方向に支承し、この主軸（７）に複数のディスク（２０，３０，４０）を軸方向に間隔をあけて固定し、それらのディスク（２０，３０，４０）の周方向に間隔をあけて設けられる複数本のハンマピン（２２，３２，４２）に、それぞれハンマ群を回動自在に設け、前記主軸（７）の回転により、放射方向に張り出して回転するハンマ群により、破砕容器（２）内に投入された被破砕物を破砕するようにした、竪型破砕機において、
前記破砕容器（２）内のハンマ群は、該容器（２）のトップゾーン（ＴＺ）に存する上部ハンマ群と、該容器（２）のミドルゾーン（ＭＺ）に存する中部ハンマ群とを備え、上部ハンマ群は、破砕容器（２）に上下方向に千鳥状に配置されており、該上部ハンマ群の各ハンマ間の間隔は、中部ハンマ群の各ハンマ間の間隔よりも広くしてあることを特徴とする、竪型破砕機。
【請求項３】
上部に投入口（５）を有し、下部に排出口（６）を有する破砕容器（２）内に、原動機（１０）により回転駆動される主軸（７）を略鉛直方向に支承し、この主軸（７）に複数のディスク（２０，３０，４０）を軸方向に間隔をあけて固定し、それらのディスク（２０，３０，４０）の周方向に間隔をあけて設けられる複数本のハンマピン（２２，３２，４２）に、それぞれハンマ群を回動自在に設け、前記主軸（７）の回転により、放射方向に張り出して回転するハンマ群により、破砕容器（２）内に投入された被破砕物を破砕するようにした、竪型破砕機において、
前記破砕容器（２）内のハンマ群は、該容器のトップゾーン（ＴＺ）に存する上部ハンマ群と、該容器のミドルゾーンに存する中部ハンマ群と、該容器のボトムゾーン（ＢＺ）に存する下部ハンマ群とを備え、上部ハンマ群は、破砕容器（２）に上下方向に千鳥状に配置されており、該上部ハンマ群の各ハンマ間の間隔は、中部ハンマ群の各ハンマ間の間隔および下部ハンマ群の各ハンマ間の間隔よりも広くしてあることを特徴とする、竪型破砕機。
【請求項４】
前記下部ハンマ群は、打撃破砕用ハンマ（１５）と、それより薄い剪断破砕用ハンマ（１６）とよりなることを特徴とする、前記請求項３記載の竪型破砕機。
【請求項５】
上部に投入口（５）を有し、下部に排出口（６）を有する破砕容器（２）内に、原動機（１０）により回転駆動される主軸（７）を略鉛直方向に支承し、この主軸（７）に複数のディスク（２０，３０，４０）を軸方向に間隔をあけて固定し、それらのディスク（２０，３０，４０）の周方向に間隔をあけて設けられる複数本のハンマピン（２２，３２，４２）に、それぞれハンマ群を回動自在に設け、前記主軸（７）の回転により、放射方向に張り出して回転するハンマ群により、破砕容器（２）内に投入された被破砕物を破砕するようにした、竪型破砕機において、
前記破砕容器内は、その投入口（５）から排出口（６）に向けて上下にトップゾーン（ＴＺ）、ミドルゾーン（ＭＺ）、ボトムゾーン（ＢＺ）およびかき出しゾーン（ＤＺ）とに分けられており、前記トップゾーン（ＴＺ）には、被破砕物を粗破砕する上部ハンマ群が設けられ、前記ミドルゾーン（ＭＺ）には、被破砕物を密破砕する中部ハンマ群が設けられ、前記ボトムゾーン（ＢＺ）には、被破砕物を細破砕する下部ハンマ群が設けられ、さらに前記かき出しゾーン（ＤＺ）には破砕物を細破砕しつつ外部にかき出すかき出しハンマが設けられることを特徴とする、竪型破砕機。
【発明の詳細な説明】
【技術分野】
【０００１】
本発明は、塵芥、ガラス、金属などの被破砕物を破砕する竪型破砕機に関する。
【背景技術】
【０００２】
従来、上部に投入口を、下部に排出口を有するケーシング内に、原動機により回転駆動されるドラムシャフトを略鉛直方向に支承し、このドラムシャフトに複数の取付板（ディスク）を軸方向に間隔をあけて固定し、それらの取付板の周方向に間隔をあけて設けられる複数本のハンマシャフトに、それぞれハンマ群を設け、ドラムシャフトの回転により、回転駆動されるるハンマ群により、ケーシング内に投入された被破砕物を破砕するようにした、竪型破砕機は公知である（特許文献１参照）。
【特許文献１】特公昭６１−５４４５８号公報
【発明の開示】
【発明が解決しようとする課題】
【０００３】
ところで、前記特許文献１に開示される竪型破砕機では、複数枚の取付板に、それらの周方向に間隔をあけて複数本のハンマシャフトが設けられ、それらのハンマシャフトの全長にわたり一様にハンマが取り付けられ、すなわち、ケーシングには、その投入口側から排出口側に同じ密度でハンマが配設されている。そのため、
ハンマ間の間隔を、被破砕物の破砕に最も適した距離に設定すると、被破砕物の中に、粗大な被破砕物が混入していると、ハンマとハンマとの間に、被破砕物が入り難くなって破砕効率が低下することがあり、延いては破砕機内で目詰まりを発生するという問題がある。
【０００４】
本発明は、かかる実情に鑑みてなされたものであり、前記問題を解決した新規な竪型破砕機を提供することを目的とする。
【課題を解決するための手段】
【０００５】
上記目的を達成するため、請求項１の発明は、上部に投入口を有し、下部に排出口を有する破砕容器内に、原動機により回転駆動される主軸を略鉛直方向に支承し、この主軸に複数のディスクを軸方向に間隔をあけて固定し、それらのディスクの周方向に間隔をあけて設けられる複数本のハンマピンに、それぞれハンマ群を回動自在に設け、前記主軸の回転により、放射方向に張り出して回転するハンマ群により、破砕容器内に投入された被破砕物を破砕するようにした、竪型破砕機において、
前記ハンマ群にうち、少なくとも前記破砕容器の上部に存する上部ハンマ群は、該破砕容器に上下方向に千鳥状に配列されることを特徴としている。
【０００６】
上記目的を達成するため、請求項２の発明は、上部に投入口を有し、下部に排出口を有する破砕容器内に、原動機により回転駆動される主軸を略鉛直方向に支承し、この主軸に複数のディスクを軸方向に間隔をあけて固定し、それらのディスクの周方向に間隔をあけて設けられる複数本のハンマピンに、それぞれハンマ群を回動自在に設け、前記主軸の回転により、放射方向に張り出して回転するハンマ群により、破砕容器内に投入された被破砕物を破砕するようにした、竪型破砕機において、
前記破砕容器内のハンマ群は、該容器のトップゾーンに存する上部ハンマ群と、該容器のミドルゾーンに存する中部ハンマ群とを備え、上部ハンマ群は、破砕容器に上下方向に千鳥状に配置されており、該上部ハンマ群の各ハンマ間の間隔は、中部ハンマ群の各ハンマ間の間隔よりも広くしてあることを特徴としている。
【０００７】
上記目的を達成するため、請求項３の発明は、上部に投入口を有し、下部に排出口を有する破砕容器内に、原動機により回転駆動される主軸を略鉛直方向に支承し、この主軸に複数のディスクを軸方向に間隔をあけて固定し、それらのディスクの周方向に間隔をあけて設けられる複数本のハンマピンに、それぞれハンマ群を回動自在に設け、前記主軸の回転により、放射方向に張り出して回転するハンマ群により、破砕容器内に投入された被破砕物を破砕するようにした、竪型破砕機において、
前記破砕容器内のハンマ群は、該容器のトップゾーンに存する上部ハンマ群と、該容器のミドルゾーンに存する中部ハンマ群と、該容器のボトムゾーンに存する下部ハンマ群とを備え、上部ハンマ群は、破砕容器に上下方向に千鳥状に配置されており、該上部ハンマ群の各ハンマ間の間隔は、中部ハンマ群の各ハンマ間の間隔および下部ハンマ群の各ハンマ間の間隔よりも広くしてあることを特徴としている。
【０００８】
上記目的を達成するため、請求項４の発明は、前記請求項３のものにおいて、前記下部ハンマ群は、打撃破砕用ハンマと、それより薄い剪断破砕用ハンマとよりなることを特徴としている。
【０００９】
上記目的を達成するため、請求項５の発明は、上部に投入口を有し、下部に排出口を有する破砕容器内に、原動機により回転駆動される主軸を略鉛直方向に支承し、この主軸に複数のディスクを軸方向に間隔をあけて固定し、それらのディスクの周方向に間隔をあけて設けられる複数本のハンマピンに、それぞれハンマ群を回動自在に設け、前記主軸の回転により、放射方向に張り出して回転するハンマ群により、破砕容器内に投入された被破砕物を破砕するようにした、竪型破砕機において、
前記破砕容器内は、その投入口から排出口に向けて上下にトップゾーン、ミドルゾーン、ボトムゾーンおよびかき出しゾーンとに分けられており、前記トップゾーンには、被破砕物を粗破砕する上部ハンマ群が設けられ、前記ミドルゾーンには、被破砕物を密破砕する中部ハンマ群が設けられ、前記ボトムゾーンには、被破砕物を細破砕する下部ハンマ群が設けられ、さらに前記かき出しゾーンには破砕物を細破砕しつつ外部にかき出すかき出しハンマが設けられることを特徴としている。
【発明の効果】
【００１０】
請求項各項記載のに発明によれば、粗大な被破砕物でも破砕機内で詰まりを生じることなく投入して破砕することができ、特に、破砕容器に上下方向に千鳥状に配列されるハンマ群は、従来のものよりも少ないハンマ数によっても粗大な被破砕物を、詰まらせることなく効果的に破砕することができる。
【発明を実施するための最良の形態】
【００１１】
本発明の実施の形態を、添付図面に例示した本発明の実施例に基づいて、以下に具体的に説明する。
【００１２】
図１〜１０は、本発明の第１実施例を示すものであり、図１は、本発明破砕手段を備えた破砕機の一部破断側面図、図２は、図１の要部拡大図、図３は、図２の３−３線に沿う、破砕手段の展開図、図４は、図２の４−４線に沿う断面図、図５は、図３の５−５線に沿う断面図、図６は、図３の６−６線に沿う断面図、図７は、図３の７−７線に沿う断面図、図８は、図３の８−８線に沿う断面図、図９は、図３の９−９線に沿う断面図、図１０は、ハンマ群の正面図および側面図である。
【００１３】
図１において、基台１上に破砕容器２が搭載されている。この破砕容器２は、円筒状に形成される下半部分２Ｄと、コーン状に形成される上半部分２Ｕとより構成される。下半部分２Ｄの内周面には、環状のライナー３が一体に積層され、また、上半部分２Ｕの下部内周面には、コーン状のライナー４が一体に積層されている。上半部分２Ｕの一側上面には、投入口５が設けられ、また、下半部分２Ｄの他側下部に排出口６が設けられる。
【００１４】
破砕容器２内は、その上から下に順に、トップゾーンＴＺ、ミドルゾーンＭＺおよびボトムゾーンＢＺに分けられおり、さらにボトムゾーンＢＺの下にかき出しゾーンＤＺが設けられる。
【００１５】
破砕容器２の中央部には、竪方向、すなわち略鉛直方向に配置される主軸７が、上部軸受８および下部軸受９を介して回転自在に支持されている。破砕容器２の一側において、基台１上には原動機１０が搭載されており、この原動機１０の出力軸は、基台１内に設けたベルト伝動機構１１を介して主軸７に連結されており、原動機１０の駆動によれば、ベルト伝動機構１１を介して主軸７が減速回転駆動される。
【００１６】
前記主軸７には、本発明にかかる破砕手段が設けられる。以下に、この破砕手段の構成を、主に図２〜９を参照して詳述する。
【００１７】
前記トップゾーンＴＺには「上部ハンマ群」、前記ミドルゾーンＭＺには「中部ハンマ群」、前記ボトムゾーンＢＺには「下部ハンマ群」がそれぞれ配設され、さらに、前記かき出しゾーンＤＺには「かき出しハンマ群」が配設されており、これらのハンマ群は、主軸７の回転により、それぞれ回転駆動される。
【００１８】
前記トップゾーンＴＺにおいて、「上部ハンマ群」の上方には、主軸７に連動されて、破砕容器１内に投入された被破砕物中に含まれるひも類の巻き付きを防止する「ひも類巻き付き防止手段」ＰＲが設けられている。
【００１９】
前記主軸７の上部には、６枚の円盤状の第１〜第６小径ディスク２０(1) 〜２０(6) が、また、その中部には小径ディスク２０よりも径の大きい４枚の円盤状の第１〜第４の中径ディスク３０(1) 〜(4) が、さらにその下部には中径ディスク３０よりも径の大きい５枚の円盤状の第１〜第５の大径ディスク４０(1) 〜(5) がそれぞれ軸方向に順に間隔をあけてキー嵌合固定されており、主軸７と一体に回転できるようにされている。そして、図３に示すように、前記各複数枚の、小径ディスク２０、中径ディスク３０および大径ディスク４０は、破砕容器２内を、上から下に、第０ステージＳＴ(0) から第１３ステージＳＴ(13)に分けている。
【００２０】
前記「ひも類巻き付き防止手段」ＰＲは、図２，３に示すように、第１、第２の小径ディスク２０(1) ，２０(2) との間でそれらの周方向に等間隔をあけて回転自在に支持される３個のローラ１３と、破砕機２の上壁から垂下されるプロテクタ１２とより構成されて、被破砕物中のひも類が主軸７などの回転部分に巻き付くのを防止するようにされている。
【００２１】
つぎに、前記「上部ハンマ群」について、図２〜４を参照して説明する。
【００２２】
この「上部ハンマ群」は、破砕容器２のコーン状の上半部分２Ｕ内に配設されていて、図３に示すように、１２個のトップハンマ１４（図１０参照）および６個のミドルハンマ１５（図１０参照）よりなり、これらのハンマ１４，１５は、前記４枚の第２〜第５の小径ディスク２０(2) 〜２０(5) （最上段の第１小径ディスク２０(1) を除く）と、上から３枚の第１〜第３の中径ディスク３０(1) 〜３０(3) に、上下方向に千鳥状に粗に配列されている。そして、破砕容器２内に被破砕物を目詰まりを生じることなく円滑に導入させると共にその投入被破砕物を効果的に粗破砕する。
【００２３】
以下に、「上部ハンマ群」の配列についてさらに具体的に説明するに、図２〜４に示すように、５枚の第２〜第６の小径ディスク２０(2) 〜２０(6) には、１２のピン孔２１が周方向に等間隔（３０°）をあけて同心上に、同位相をもってそれぞれ穿設されており、それら１２のピン孔２１のうち、一つ置きの６つのピン孔２１、すなわちＡ〜Ｆ列のピン孔２１には、６本の上部ハンマピン２２が、それぞれそれらの上方から抜差可能に挿通されて、それらの上部ハンマピン２２の下端は、最上段の第１の中径ディスク３０(1) によって受け止められている（図２参照）。また、上部ハンマピン２２の上端は第１の小径ディスク２０(1) 上にボルト止め２３したストッパー２４により抑えられて、浮き上がり、抜け出しが防止される（図２参照）。
【００２４】
なお、上部ハンマピン２２の設けられない６つのピン孔２１は、予備のピン孔として利用される。
【００２５】
図２〜５に示すように、第１、第３ステージＳＴ(1) ，ＳＴ(3) では、Ａ、Ｃ、Ｅ列の３本の上部ハンマピン２２に、第３、５の小径ディスク２０(3) ，２０(5) 上でトップハンマ１４がスペーサ２５と共に回動自在に支持され、また、第２、第４ステージＳＴ(2) 、ＳＴ(4) では、Ｂ、Ｄ、Ｆ列の上部ハンマピン２２に、第４、６の小径ディスク２０(4) ，２０(6) 上でトップハンマ１４がスペーサ２５と共に回動自在に支持される。したがって、６本の上部ハンマピン２２に取り付けられる１２個のトップハンマ１４は、図３に示すように、破砕容器２の上下方向に、第１〜第４ステージＳＴ(1) 〜ＳＴ(4) にわたって上下２段に千鳥状に配置される。そして、Ａ、Ｃ、Ｅ列のトップハンマ１４と、Ｂ、Ｄ、Ｆ列のトップハンマ１４とは、主軸７の軸方向からみてラップすることがない。
【００２６】
なお、前記スペーサ２５は、小径ディスク２０間でトップハンマ１４の位置を保持するためのものであり、カラーにより構成されている。
【００２７】
また、図２、３、６に示すように、主軸７にキー嵌合固定される４枚の第１〜第４中径ディスク３０(1) 〜３０(4) のうち、２枚の第２、３の中径ディスク３０(2) ，３０(3) には、「上部ハンマ群」に属する６個のミドルハンマ１５が取り付けられる。４枚の第１〜４の中径ディスク３０(1) 〜３０(4) には、前記小径ディスク２０のピン孔２１よりも径方向外側で、かつ周方向に若干位相をずらして１２のピン孔３１が周方向に等間隔（３０°）をあけて同心上に、同位相をもってそれぞれ穿設されており、それらの１２のピン孔３１のうち、一つ置きの６つのピン孔３１には、Ａ列〜Ｅ列の６本の中部ハンマピン３２が、それらの上方から抜差可能に回動自在に取り付けられており、それらの中部ハンマピン３２の下端は、第１の大径ディスク４０(1) に受け止められている（図２参照）。
【００２８】
なお、中部ハンマピン３２の取り付けられない６つのピン孔３１は、予備のピン孔として利用される。
【００２９】
図２、３、６に示すように、第６ステージＳＴ(6) では、６本の中部ハンマピン３２のうちの一つ置き、すなわちＡ、Ｃ、Ｅ列の中部ハンマピン３２に、第２の中径ディスク３０(2) 上で３つのミドルハンマ１５がスペーサ３５と共に回動自在に支持されてり、また、第７ステージＳＴ(7) ) では、Ｂ、Ｄ、Ｆ列の中部ハンマピン３２に、第３の中径ディスク３０(3) 上で３つのミドルハンマ１５がスペーサ３５と共に回動自在に支持されており、結局、第２、第３の中径ディスク３０(2) ，３０(3) には、周方向に間隔をおいて設けられる６つのミドルハンマ１５が、破砕容器２の上下方向、すなわち主軸７の軸方向に第６、第７ステージＳＴ(6) ，ＳＴ(7) にわたり一段に千鳥状に配置されている。
【００３０】
図２、３、６に示すように、第１の中径ディスク３０(1) 上において、上部ハンマピンの２２下端には、扇形状のストッパー３４が回動自在に取り付けられており、このストッパー３４は、これが回転したときのにその遠心力で中部ハンマピン３２の上端に当接されて、該中部ハンマピン３２の浮き上がり、抜け出しを防止する。
【００３１】
なお、トップゾーンＴＺにおいて、１２個のトップハンマ１４と、６個のミドルハンマ１５との間、すなわち、第１の中径ディスク３０(1) 上には、ハンマが設けられていない非破砕空間２７が設けられており、トップハンマ１４群により粗破砕された被破砕物は、一旦、非破砕空間２７に貯留されたのち、ミドルハンマ１５群によって再度粗破砕される。
【００３２】
以上のように、投入口５より破砕容器２内に投入された被破砕物は、トップゾーンＴＺにて詰まることなく、前記「上部ハンマ群」によって粗に打撃破砕されるものであり、具体的には、被破砕物は破砕容器２の上下方向に千鳥状に配置される１２個のトップハンマ１４により一次的に粗に破砕され、非破砕空間２７を経て、同じく破砕容器２の上下方向に千鳥状に配置される６個のミドルハンマ１５により二次的に粗に打撃破砕される。
【００３３】
つぎに、「中部ハンマ群」について説明する。
【００３４】
破砕容器２の円筒状下半部分に対応する、ミドルゾーンＭＺには、第８ステージＳＴ(8) ８から第１０ステージＳＴ(10)にわたり、「中部ハンマ群」が配設される。このミドルゾーンＭＺでは、前記「上部ハンマ群」よりも密に設けられる「中部ハンマ群」により、前記トップゾーンＴＺで粗に打撃破砕された被破砕物を、密に打撃破砕する。
【００３５】
このミドルゾーンＭＺの「中部ハンマ群」は、第８ステージＳＴ(8) の、Ａ列〜Ｆ列の中部ハンマピン３２にそれぞれ設けられる６個のミドルハンマ１５と、第９、１０ステージＳＴ(9) ，(10)のＡ列〜Ｆ列の中部ハンマピン３２にそれぞれ設けられる１２個のミドルハンマ１５とより構成されており、前記「上部ハンマ群」よりも密度を高く配置されているものであり、すなわち、図２、３および図７に示すように、第８ステージＳＴ(8) のＡ列〜Ｆ列に設けられる６本に中部ハンマピン３２には、それぞれミドルハンマ１５が同じレベルでスペーサ３５と共に回動自在に取り付けられる。また、図２、３および図８に示すように、第９ステージＳＴ(9) の、Ａ列〜Ｆ列に設けられる６本の中部ハンマピン３２には、それぞれ同じレベルで６個のミドルハンマ１５がスペーサ３５と共に回動自在に取り付けられ、さらに第１０ステージＳＴ(10)のＡ列〜Ｆ列に設けられる６本の下部ハンマピン４２には、第１、第２の大径ディスク４０(1) ，４０(2) の間で上下に千鳥状に６個のミドルハンマ１５がスペーサ４５と共に回動自在に取り付けられる。
【００３６】
図２、３、９に示すように、６本の前記下部ハンマピン４２は、第１〜第５の大径ディスク４０(1) 〜４０(5) の同心円上に等間隔で穿設される１２のピン孔４１の一つ置きの６つのピン孔４１に挿通されて、第５のディスク（最下部）４０(5) に支持されており、それらの下部ハンマピン４２の上端は、第１の大径ディスク４０(1) 上で中部ハンマピン３２の下端に回動自在に取り付けられる扇形状のストッパー４４により抑えられて、その浮き上がり、抜け出しを防止する。
【００３７】
つぎに、「下部ハンマ群」について説明する。
【００３８】
破砕容器２の円筒状下半部分２Ｄの下部に対応する、ボトムゾーンＢＺには、前記第１１、１２ステージＳＴ(11)，(12)において「下部ハンマ群」が配設される。このボトムゾーンＢＺでは、「下部ハンマ群」により、前記ミドルゾーンＭＺで密に打撃破砕された後の被破砕物を、さらに細かく打撃および剪断破砕する。
【００３９】
図２、３、９に示すように、このボトムゾーンＢＺの「下部ハンマ群」は、６個のミドルハンマ１５よりなる第１の下部ハンマ群と、１２個（２個一組）の細破砕ハンマ（図１０参照）１６よりなる第２の下部ハンマ群とよりなる。第１１、１２ステージＳＴ(11)，(12)のＡ列〜Ｆ列にそれぞれ設けられる６本の下部ハンマピン４２には、ミドルハンマ１５と細破砕ハンマ１６とが回動自在に設けられる。すなわち、図３に示すように、第１１ステージＳＴ(11)のＡ、Ｃ、Ｅ列では、第３の大径ディスク４０(3) 上にミドルハンマ１５がスペーサ４５と共に回動自在に設けられ、第１２ステージＳＴ(12)の第４の大径ディスク４０(4) 上に細破砕ハンマ１６がスペーサ４５と共に回動自在に設けられる。一方、Ｂ、Ｄ、Ｆ列では、第１１ステージＳＴ(11)の第３の大径ディスク４０(3) 上に細破砕ハンマ１６がスペーサ４５と共に回動自在に設けられ、第１２ステージＳＴ(12)の第４の大径ディスク４０(4) 上にミドルハンマ１５がスペーサ４５と共に回動自在に設けられる。したがって、「下部ハンマ群」は、図３に示すように、第３、第４ステージＳＴ(11)，(12)にわたって、６本の下部ハンマピン４２にそれぞれ千鳥状に設けられる各６個ずつのミドルハンマ１５および細破砕ハンマ１６とよりなる。
【００４０】
なお、前記細破砕ハンマ１６はスペーサを挟んで２個重ね合わせて使用される。
ミドルゾーンＭＺで密に破砕された被破砕物は、ボトムゾーンＢＺへと落下し、ここでミドルハンマ５０および細破砕ハンマ１６により、打撃、および剪断され、より細かく細破砕される。
【００４１】
つぎに、「かき出しハンマ群（最下部ハンマ群）」について説明する。
【００４２】
ボトムゾーンＢＺの最下部には、第１３ステージＳＴ(13)において、「かき出しハンマ群」が配設される。この「かき出しハンマ群」は、ボトムゾーンＢＺで細破砕された、破砕物を、さらに細かく破砕しながら排出口６を通して外部にかき出すものである。
【００４３】
図２、３に示すように、この「かき出しハンマ群」は、第１３ステージＳＴ(13)の第５の大径ディスク（最下端の大径ディスク）４０(5) 上において、６本の下部ハンマピン４２のうち、一つ置きの下部ハンマピン、すなわち、Ａ、Ｃ、Ｅ列の下部ハンマピン４２の下端にそれぞれスペーサ４７と共に回動可能に取り付けられる３個のかき出しハンマ１７よりなる。各かき出しハンマ１７は、この実施例では、２枚のミドルハンマ１５を重ね合わせて刃幅が厚く形成されており、被破砕物を最終的に打撃破砕しながら、排出口６より外部にかき出す。
【００４４】
なお、各かき出しハンマ１７は、刃幅に厚い一枚のハンマにより形成してもよい。
【００４５】
図１０には、前述のトップハンマ１４、ミドルハンマ１５および細破砕ハンマ１６が示される。トップハンマ１４は、長方形の板材により形成されてその中部にくびれ部１４ｎを有し、その両端部に、間隔Ｌ１を存してハンマピンの挿通される一対のピン孔１４ｈが設けられる。一対のピン孔１４ｈには、選択的にハンマピンを挿通して二通りに使用される。また、ミドルハンマ１５は、一対のピン孔１５ｈ間の間隔幅Ｌ2 が、トップハンマ１４の間隔Ｌ1 よりも若干短い点を除いてトップハンマ１４と全く同じである。さらに、細破砕ハンマ１６は、長方形の板材により、トップハンマ１４およびミドルハンマ１５と同じ寸法に形成されるが、それらよりも薄く、かつくびれ部を有しない。また一対のピン孔１６ｈ間の間隔Ｌ2 は、ミドルハンマ１５と同じである。そして、スペーサ４７を挟んで２枚一組として使用される。
【００４６】
なお、前記かき出しハンマ１７は、前記ミドルハンマ１５を２枚重ねて構成される。
【００４７】
つぎに、この第１実施例の作用について説明する。
【００４８】
いま、破砕機を稼働すべく、原動機１０を駆動すれば、主軸７が回転駆動され、これにキー嵌合固定される複数の、小径ディスク２０、中径ディスク３０および大径ディスク４０は、共に回転駆動され、これらのディスクに上部ハンマピン２２、中部ハンマピン３２および下部ハンマピン４２を介して連結される「上部ハンマ群」、「中部ハンマ群」、「下部ハンマ群」および「かき出しハンマ群」は一斉に回転され、それらのハンマ群は、遠心力をうけて放射方向に張り出す。
【００４９】
ここで、投入口５から破砕容器２内に被破砕物を投入する。投入口５の入口端では、数個のローラ１３よりなるひも類巻き付き防止手段ＰＲにより、被破砕物中に含まれるひも類が、主軸７を含む回転部分に巻き付くのを防止する。
【００５０】
トップゾーンＴＺに投入された被破砕物は、「上部ハンマ群」により、目詰まりを起こすことなく、能率よく粗破砕される。すなわち、前述したように、破砕容器２の上半部分２Ｕに、上下方向に千鳥状に配列（粗に配列）される、トップハンマ１４群とミドルハンマ１５群は、それらの間に比較的広く形成される空間を抵抗少なく円滑に回転して投入被破砕物を、詰まることなく能率よく粗破砕、主として粒径の大きい被破砕物を打撃破砕することができる。
【００５１】
このとき、トップハンマ１４は、その長さが、ミドルハンマ１５よりも長いので、打撃力を大きくなり、被破砕物の粗破砕が一層能率的に行われる。
【００５２】
「上部ハンマ群」により粗破砕された、被破砕物はミドルゾーンＭＺへと導かれる。ミドルゾーンＭＺの「中部ハンマ群」を構成するミドルハンマ１５群は、前記「上部ハンマ群」よりも密に配列され、しかも回転速度が速く、よって、破砕容器２の円筒状下半部分２Ｄとの間の比較的狭い空間での打撃回数が多くなり、被破砕物の密な打撃破砕が効率よく行われ、このミドルゾーンＭＺにて、被破砕物の主たる打撃破砕が行われる。
【００５３】
ミドルゾーンＭＺにて、主たる打撃破砕された被破砕物は、ボトムゾーンＢＺへ送られる。ここでは、第１１、１２ステージＳＴ(11)，(12)にわたってそれぞれ千鳥状に配列され、大径ディスク４０の回転により高速で回転するミドルハンマ１５および細破砕ハンマ１６とにより、被破砕物は、さらに細かく打撃、剪断破砕されて、小粒径に細破砕される。  ボトムゾーンＢＺで細破砕された被破砕物は、かき出しゾーンＤＺへと送られる。
【００５４】
第１３ステージＳＴ(13)において、Ａ、Ｃ、Ｅ列に粗に設けられ、大径ディスク４０の回転により高速で回転するかき出しハンマ１７により、被破砕物は、最終的に細破砕されながら排出口を通って外部に排出される。
【００５５】
つぎに、図１１を参照して本発明の第２実施例について説明する。この第２実施例において、前記第１実施例と同じ要素には、同じ符号が付される。
【００５６】
この第２実施例では、各ハンマ群の配列が前記第１実施例と異なっており、また、第１実施例の細破砕ハンマ１６が使用されておらず、また、かき出しハンマ１７として、ミドルハンマ１５が使用されている。
【００５７】
「上部ハンマ群」について、
トップゾーンＴＺにおいて、Ａ、Ｄ列では、第３，４、５ステージＳＴ(3) ，(4) ，(5) の上部ハンマピン２２に３個のトップハンマ１４が設けられ、また、Ｂ、Ｅ列では、第１、第２ステージＳＴ(1) ，(2) の上部ハンマピン２２に２個のトップハンマ１４が設けられる。合計１０個のトップハンマ１４は、第１ステージＳＴ(1) から第５ステージＳＴ(5) にわたり破砕容器２の上下方向に千鳥状に配列されている。そして、Ｃ、Ｆ列には、上部ハンマピン１４は設けられていない。
【００５８】
「中部ハンマ群」について、
ミドルゾーンＭＺにおいて、Ａ、Ｃ、Ｅ列では、第６、第８ステージＳＴ(6) ，(8) の中部ハンマピン３２に２個のミドルハンマ１５が設けられ、また、Ｂ、Ｄ、Ｆ列では、第７ステージＳＴ(7) の中部ハンマピン３２に１個のミドルハンマ１５が設けられる。合計９個のミドルハンマ１５は、第６ステージＳＴ(6) から第８ステージＳＴ(8) にわたり破砕容器２の上下方向に千鳥状に配列されている。
【００５９】
「下部ハンマ群」について、
ボトムゾーンＢＺにおいて、Ａ、Ｄ列では、第１１ステージＳＴ(11)に、またＢ、Ｅ列では、第１０ステージＳＴ(10)に、さらにＣ、Ｆ列では、第１２ステージＳＴ(12)の各下部ハンマピン４２にそれぞれミドルハンマ１５が設けられる。合計６個のミドルハンマ１５は、第１０ステージＳＴ(10)から第１２ステージＳＴ(12)にわたり破砕容器２の上下方向に千鳥状に配列されている。
【００６０】
「かき出しハンマ群」について、
「かき出しゾーン」において、Ｂ、Ｄ、Ｆ列では、第１３ステージＳＴ(13)の下部ハンマピン４２に、かき出しハンマ１７（ミドルハンマ１５）が同一レベル上に設けられる。      
【００６１】
しかして、この第２実施例のものも、前述のようにハンマ群の少なくとも一部を破砕容器の上下方向に千鳥状に配列することにより、前記第１実施例のものと同じ作用効果を奏する。
【００６２】
以上、本発明の実施例について説明したが、本発明はその実施例に限定されることなく、本発明の範囲内で種々の実施例が可能である。
【００６３】
たとえば、「上部ハンマ群」、「中部ハンマ群」、「下部ハンマ群」および「かき出しハンマ群」の配列の仕方は、前記第１、２実施例のほか、本発明の作用効果を逸脱しない範囲でその変更が可能である。
【図面の簡単な説明】
【００６４】
【図１】本発明破砕手段を備えた破砕機の一部破断側面図
【図２】図１の要部拡大図
【図３】図２の３−３線に沿う、破砕手段の展開図
【図４】図２の４−４線に沿う断面図
【図５】図３の５−５線に沿う断面図
【図６】図３の６−６線に沿う断面図
【図７】図３の７−７線に沿う断面図
【図８】図３の８−８線に沿う断面図
【図９】図３の９−９線に沿う断面図
【図１０】ハンマ群の正面図および側面図
【図１１】図３と同じ破砕手段の展開図（第２実施例）
【符号の説明】
【００６５】
２・・・・・・・・・破砕容器
５・・・・・・・・・投入口
６・・・・・・・・・排出口
７・・・・・・・・・主軸
１５・・・・・・・・・打撃破砕用ハンマ
１６・・・・・・・・・剪断破砕用ハンマ
１７・・・・・・・・・かき出しハンマ
２０・・・・・・・・・ディスク（小径ディスク）
２２・・・・・・・・・ハンマピン（上部ハンマピン）
３０・・・・・・・・・ディスク（中径ディスク）
３２・・・・・・・・・ハンマピン（中部ハンマピン）
４０・・・・・・・・・ディスク（大径ディスク）
４２・・・・・・・・・ハンマピン（下部ハンマピン）
ＴＺ・・・・・・・・・トップゾーン
ＭＺ・・・・・・・・・ミドルゾーン
ＢＺ・・・・・・・・・ボトムゾーン
ＤＺ・・・・・・・・・かき出しゾーン
【図１】
2006247519.tif 000003
【図２】
2006247519.tif 000004
【図３】
2006247519.tif 000005
【図４】
2006247519.tif 000006
【図５】
2006247519.tif 000007
【図６】
2006247519.tif 000008
【図７】
2006247519.tif 000009
【図８】
2006247519.tif 000010
【図９】
2006247519.tif 000011
【図１０】
2006247519.tif 000012
【図１１】
2006247519.tif 000013